(57)【要約】【課題】画像処理装置が、当該画像処理装置に記憶されているカスタマイズされた設定内容を、より確実に実現できるようにすること。【解決手段】カスタマイズ情報において、装置情報は、画像形成に利用される要素の種類（給紙トレイの種類および／または定着ユニットの種類）を指定する。画像形成システムは、指定された設定に含まれる装置情報が指定する要素が装着されていない場合には、画像形成システムにおける要素の交換（変更）が必要であることを示すメッセージ５１１を表示する。【選択図】図５
2017060035.tif 000002
【特許請求の範囲】
【請求項１】
１つ以上の要素から構成され、用紙に画像を形成するための画像形成手段と、
前記画像形成手段による画像形成を制御するための制御手段と、
前記画像形成手段を構成する要素の種類を検知するための検知手段と、
前記画像形成手段による画像形成についての２以上の種類の装置情報を格納するための記憶手段と、
装置情報の種類の指定を受け付けるための入力手段とを備え、
前記装置情報のそれぞれの種類は、前記画像形成手段として必要とされる要素を特定し、
前記制御手段は、前記検知手段が、前記入力手段において指定された種類の装置情報によって特定される要素が前記画像形成手段を構成していないことを検知した場合には、当該要素を前記画像形成手段に含めることを促す情報を報知する、画像処理装置。
【請求項２】
前記検知手段は、用紙を収容するトレイを格納する部材の開閉を検知し、
前記指定された種類の装置情報は、所定の用紙の種類を特定し、
前記処理は、前記所定の用紙を収容するトレイを前記画像形成手段に含めることを促し、
前記制御手段は、前記処理を実行した後、前記検出手段が前記部材の開閉を検知したことに応じて前記処理を終了させる、請求項１に記載の画像処理装置。
【請求項３】
前記検知手段は、所定の要素を格納する部材の開閉を検知し、
前記指定された種類の装置情報は、所定の要素の種類を特定し、
前記処理は、前記所定の要素を前記画像形成手段に含めることを促し、
前記制御手段は、前記処理を実行した後、前記検出手段が前記部材の開閉を検知したことに応じて前記処理を終了させる、請求項１に記載の画像処理装置。
【請求項４】
前記制御手段は、前記処理を実行した後、前記入力手段が特定の指示を受け付けたことに応じて前記処理を終了させる、請求項１〜請求項３のいずれか１項に記載の画像処理装置。
【請求項５】
前記記憶手段は、前記装置情報の種類を、ユーザーの種類に関連付けて格納し、
前記入力手段は、ユーザー認証のための情報の入力を受け付け、
前記制御手段は、前記入力手段への入力に基づいてユーザーを認証し、前記記憶手段において、認証されたユーザーの種類に関連付けられた種類の装置情報を、前記入力手段において指定された種類の装置情報として利用する、請求項１〜請求項４のいずれか１項に記載の画像処理装置。
【請求項６】
前記記憶手段は、単一のユーザーの種類に関連付けて２以上の種類の前記装置情報を格納し、
前記入力手段は、前記認証されたユーザーの種類に関連付けられた２以上の種類の前記装置情報から１の前記装置情報を選択するための入力を受け付ける、請求項５に記載の画像処理装置。
【請求項７】
時計をさらに備え、
前記記憶手段は、単一のユーザーの種類に関連付けて２以上の種類の前記装置情報を格納し、
前記２以上の種類の前記装置情報のそれぞれは、前記記憶手段において、時刻情報に関連付けられて格納されており、
前記制御手段は、認証されたユーザーの種類に関連付けられた２以上の種類の装置情報から前記時計によって特定される時刻情報に関連付けられているものを、前記入力手段において指定された種類の装置情報として利用する、請求項５に記載の画像処理装置。
【請求項８】
前記装置情報の種類の指定は、さらに、前記画像形成手段の動作内容を指定し、
前記記憶手段は、デフォルトの種類の前記装置情報を格納し、
前記制御手段は、
前記入力手段において指定された種類の装置情報を、前記画像形成手段による画像形成のために利用される装置情報として設定し、
ユーザー認証を行った後、予め定められた条件が成立した場合に、
前記画像形成手段による画像形成のために利用される装置情報のうち前記画像形成手段として必要とされる要素を指定する設定は、前記入力手段において指定された種類の設定で維持し、
前記画像形成手段による画像形成のために利用される装置情報に付随する、前記画像形成手段の動作内容を指定する設定は、前記デフォルトの種類の設定へ変更する、請求項５〜請求項７のいずれか１項に記載の画像処理装置。
【請求項９】
前記制御手段は、ユーザーを認証し、
認証された第１のユーザーについて前記処理を実行した後、第２のユーザーを認証した場合、前記第１および第２のユーザーのいずれが認証されているときにも前記検出手段が前記部材の開閉を検知しなければ、前記第２のユーザーについても前記処理を実行する、請求項２または請求項３に記載の画像処理装置。
【請求項１０】
前記制御手段は、ユーザーを認証し、
認証された第１のユーザーについて前記処理を実行した後、第２のユーザーを認証した場合、前記第１のユーザーが認証されているときに前記入力手段において指定された種類の装置情報が設定された状態で前記画像形成手段による画像形成が行なわれていれば、前記第２のユーザーに対して、前記入力手段において指定された種類の装置情報が特定する要素を前記画像形成手段が含むことを報知する、請求項２または請求項３に記載の画像処理装置。
【請求項１１】
用紙に画像を形成するための画像形成手段を備える画像処理装置の制御方法であって、
前記画像形成手段は、１つ以上の要素から構成され、
前記画像処理装置は、前記画像形成手段による画像形成についての２以上の種類の装置情報を格納するための記憶手段と、装置情報の種類の指定を受け付けるための入力手段とを備え、
前記装置情報のそれぞれの種類は、前記画像形成手段として必要とされる要素を特定し、
前記入力手段において指定された種類の装置情報によって特定される要素が前記画像形成手段を構成していないことを検知した場合には、当該要素を前記画像形成手段に含めることを促す情報を報知するステップを備える、画像処理装置の制御方法。
【発明の詳細な説明】
【技術分野】
【０００１】
本開示は、画像処理装置およびその制御方法に関し、特に、画像形成についての設定を記憶する画像処理装置およびその制御方法に関する。
【背景技術】
【０００２】
従来、画像形成についての種々の設定を記憶する画像処理装置が提案されている。たとえば、特開２００６−４２２６４号公報（特許文献１）は、直前に使用した他のユーザーのユーザーモードの設定に左右されることなく、最適な設定環境の下で、ユーザーからの画像処理要求に対する操作指示を受け付ける、画像処理装置を開示する。
【０００３】
また、特開２０１４−２２３７４５号公報（特許文献２）は、画像形成の実行時刻に対応したジョブチケットを作成し、実行時刻に基づいて、ジョブチケットに対する設定（後処理、片面／両面、用紙選択、倍率等）を自動的に設定する、画像形成装置を開示する。
【０００４】
また、特開２００９−１２３００９号公報（特許文献３）は、ユーザーＩＤによりユーザーを特定し、入力されたユーザーＩＤに対応したカスタマイズ情報（表示項目、レイアウト、等）を取得し、当該カスタマイズ情報に従って設定画面を表示する画像形成装置を開示する。
【先行技術文献】
【特許文献】
【０００５】
【特許文献１】特開２００６−４２２６４号公報
【特許文献２】特開２０１４−２２３７４５号公報
【特許文献３】特開２００９−１２３００９号公報
【発明の概要】
【発明が解決しようとする課題】
【０００６】
上記のように、従来の装置は、種々の設定を予め記憶しておき、当該設定に応じた動作をすることにより、ユーザーからの特段の情報の入力がなくとも、当該ユーザーに対してカスタマイズされた動作を実行することができた。
【０００７】
しかしながら、従来の装置は、当該装置のみの制御では実現できない設定内容については、カスタマイズされた設定を格納していても、当該設定内容を実現することができない場合があった。
【０００８】
本開示は、かかる実情を鑑み考え出されたものであり、その目的は、画像処理装置が、当該画像処理装置に記憶されているカスタマイズされた設定内容を、より確実に実現できるようにすることである。
【課題を解決するための手段】
【０００９】
本開示のある局面に従うと、画像処理装置が提供される。画像処理装置は、１つ以上の要素から構成され、用紙に画像を形成するための画像形成手段と、画像形成手段による画像形成を制御するための制御手段と、画像形成手段を構成する要素の種類を検知するための検知手段と、画像形成手段による画像形成についての２以上の種類の装置情報を格納するための記憶手段と、装置情報の種類の指定を受け付けるための入力手段とを備える。装置情報のそれぞれの種類は、画像形成手段として必要とされる要素を特定する。制御手段は、検知手段が、入力手段において指定された種類の装置情報によって特定される要素が画像形成手段を構成していないことを検知した場合には、当該要素を画像形成手段に含めることを促す情報を報知する。好ましくは、検知手段は、用紙を収容するトレイを格納する部材の開閉を検知する。指定された種類の装置情報は、所定の用紙の種類を特定する。処理は、所定の用紙を収容するトレイを画像形成手段に含めることを促す。制御手段は、処理を実行した後、検出手段が部材の開閉を検知したことに応じて処理を終了させる。
【００１０】
好ましくは、検知手段は、所定の要素を格納する部材の開閉を検知する。指定された種類の装置情報は、所定の要素の種類を特定する。処理は、所定の要素を画像形成手段に含めることを促する。制御手段は、処理を実行した後、検出手段が部材の開閉を検知したことに応じて処理を終了させる。
【００１１】
好ましくは、制御手段は、処理を実行した後、入力手段が特定の指示を受け付けたことに応じて処理を終了させる。
【００１２】
好ましくは、記憶手段は、装置情報の種類を、ユーザーの種類に関連付けて格納する。入力手段は、ユーザー認証のための情報の入力を受け付ける。制御手段は、入力手段への入力に基づいてユーザーを認証し、記憶手段において、認証されたユーザーの種類に関連付けられた種類の装置情報を、入力手段において指定された種類の装置情報として利用する。
【００１３】
好ましくは、記憶手段は、単一のユーザーの種類に関連付けて２以上の種類の装置情報を格納する。入力手段は、認証されたユーザーの種類に関連付けられた２以上の種類の装置情報から１の装置情報を選択するための入力を受け付ける。
【００１４】
好ましくは、画像処理装置は、時計をさらに備える。記憶手段は、単一のユーザーの種類に関連付けて２以上の種類の装置情報を格納する。２以上の種類の装置情報のそれぞれは、記憶手段において、時刻情報に関連付けられて格納されている。制御手段は、認証されたユーザーの種類に関連付けられた２以上の種類の装置情報から時計によって特定される時刻情報に関連付けられているものを、入力手段において指定された種類の装置情報として利用する。
【００１５】
好ましくは、装置情報の種類の指定は、さらに、画像形成手段の動作内容を指定する。記憶手段は、デフォルトの種類の装置情報を格納する。制御手段は、入力手段において指定された種類の装置情報を、画像形成手段による画像形成のために利用される装置情報として設定する。制御手段は、ユーザー認証を行った後、予め定められた条件が成立した場合に、画像形成手段による画像形成のために利用される装置情報のうち画像形成手段として必要とされる要素を指定する設定は、入力手段において指定された種類の設定で維持し、画像形成手段による画像形成のために利用される装置情報に付随する、画像形成手段の動作内容を指定する設定は、デフォルトの種類の設定へ変更する。
【００１６】
好ましくは、制御手段は、ユーザーを認証する。認証された第１のユーザーについて処理を実行した後、第２のユーザーを認証した場合、第１および第２のユーザーのいずれが認証されているときにも検出手段が部材の開閉を検知しなければ、第２のユーザーについても処理を実行する。
【００１７】
好ましくは、制御手段は、ユーザーを認証する。認証された第１のユーザーについて処理を実行した後、第２のユーザーを認証した場合、第１のユーザーが認証されているときに入力手段において指定された種類の装置情報が設定された状態で画像形成手段による画像形成が行なわれていれば、第２のユーザーに対して、入力手段において指定された種類の装置情報が特定する要素を画像形成手段が含むことを報知する。
【００１８】
本開示の他の局面に従うと、用紙に画像を形成するための画像形成手段を備える画像処理装置の制御方法が提供される。画像形成手段は、１つ以上の要素から構成され、画像処理装置は、画像形成手段による画像形成についての２以上の種類の装置情報を格納するための記憶手段と、装置情報の種類の指定を受け付けるための入力手段とを備える。装置情報のそれぞれの種類は、画像形成手段として必要とされる要素を特定する。生業方法は、入力手段において指定された種類の装置情報によって特定される要素が画像形成手段を構成していないことを検知した場合には、当該要素を画像形成手段に含めることを促す情報を報知するステップを備える。
【発明の効果】
【００１９】
本開示によれば、画像処理装置は、指定された種類の装置情報によって特定される要素が画像形成手段を構成していない場合には、当該要素を画像形成手段に含めることを促す情報を報知する。これにより、ユーザーは、当該要素を画像形成手段に含める必要があることを認識することができ、そして、そのための作業を実施できる。これにより、画像処理装置においてカスタマイズされた設定内容として装置情報を記憶しておけば、画像処理装置は、当該装置情報に従った処理をより確実に実現できる。
【図面の簡単な説明】
【００２０】
【図１】画像処理装置の一実施の形態である画像形成システムの概略的な構成を説明するための図である。
【図２】画像形成システムの機能ブロックの一例を表わす、ブロック図である。
【図３】画像形成システム内の記憶装置に格納されるカスタマイズ情報の内容の一例を模式的に示す図である。
【図４】ユーザーに、呼び出される設定を選択させるために表示される画面の一例を示す図である。
【図５】ユーザーが画像形成装置において画像形成についての設定を選択したことに応じて表示される警告画面の一例を説明するための図である。
【図６】画像形成についての設定の指定のためにユーザーが操作パネルを操作したときに、画像形成装置が実行する処理のフローチャートである。
【図７】図６のステップＳ２００のサブルーチンのフローチャートである。
【図８】一括設定制御のサブルーチンのフローチャートである。
【図９】警告メッセージ制御処理のサブルーチンのフローチャートである。
【図１０】設定記憶制御処理のサブルーチンのフローチャートである。
【図１１】リセット制御処理のサブルーチンのフローチャートである。
【発明を実施するための形態】
【００２１】
以下に、図面を参照しつつ、情報処理装置の実施の形態について説明する。以下の説明では、同一の部品および構成要素には同一の符号を付してある。それらの名称および機能も同じである。したがって、これらの説明は繰り返さない。
【００２２】
［１．画像処理装置の概略的な構成］
図１は、画像処理装置の一実施の形態である画像形成システム１の概略的な構成を説明するための図である。
【００２３】
図１に示されるように、画像形成システム１は、用紙に画像形成を行う画像形成装置１０と、後処理装置３０と、画像形成装置１０に供給される用紙を収容する大容量給紙装置９０とを含む。画像形成システム１では、大容量給紙装置９０、画像形成装置１０、後処理装置３０の順に接続されている。本実施の形態の画像形成システム１では、これらの装置が必須のものであるが、画像処理装置では、これらの装置は必須ではない。画像形成システム１は、さらに他の装置を有してもよく、また、後処理装置３０の代わりに他の後処理装置が多段に接続されたものが採用されてもよい。
【００２４】
大容量給紙装置９０は、用紙を収容する３台の給紙トレイ９２，９３，９４と、画像形成装置１０へ用紙を搬送するための搬送経路９１とを含む。また、大容量給紙装置９０は、図示しない、搬送機構を有する。当該搬送お機構によって、大容量給紙装置９０内の用紙は、搬送経路９１を介して、画像形成装置１０の搬送経路１２へと搬送される。
【００２５】
画像形成装置１０は、その上部に自動原稿給送装置（ＡＤＦ）１３を有する。画像形成装置１０では、自動原稿給送装置（ＡＤＦ）１３で給送される原稿が、画像読取部（図２の画像読取部１３０）で読取られる。なお、画像形成装置１０では、ユーザーが、原稿を、読取位置に配置することもできる。
【００２６】
画像形成装置１０は、その本体上部に、さらに、操作パネル１４０を含む。操作パネル１４０は、表示装置の一例であるＬＣＤ（液晶表示装置）１４を含む。ＬＣＤ１４は、操作パネル１４０が備えるタッチパネルの一部であってもよい。操作者は、タッチパネルをタッチすることにより、指示を入力することができる。なお、操作パネル１４０には、操作ボタンが設けられていてもよい。この場合、操作者は、操作ボタンを操作することによっても、指示を入力できる。
【００２７】
画像形成装置１０の本体下部側には、２台の給紙トレイ１１Ａ，１１Ｂが配置されている。画像形成装置１０内には、給紙トレイ１１Ａまたは給紙トレイ１１Ｂのいずれかから給紙される用紙を給紙する給紙部１２０が設けられている。給紙部１２０は、用紙搬送部１２１に接続され、給紙トレイ１１Ａ，１１Ｂ内の用紙をピックアップするピックアップローラー、用紙を用紙搬送部１２１に搬送するためのローラーを含む。用紙搬送部１２１は、搬送経路１２、および、図示しない搬送ローラーを含む。
【００２８】
搬送経路１２の途中には、画像形成部１１０が設けられている。画像形成部１１０は、感光体１１０Ａを含む。画像形成部１１０は、また、感光体１１０Ａの周囲に配置された、図示しない、帯電器、ＬＤ（半導体レーザー）、現像器、および、転写部を含む。画像形成部１１０は、さらに、感光体１１０Ａよりも（用紙の搬送方向についての）下流側に配置された、図示しない、定着器を含む。
【００２９】
なお、本実施の形態では、定着器は、入れ替え可能である。つまり、デフォルトでは、画像形成装置１０には、定着器として、Ａ３用紙以下のサイズの普通紙を印刷できる汎用的な汎用定着ユニットが装着されている。なお、画像形成装置１０は、汎用定着ユニットの代わりに、特殊な定着ユニット（たとえば、封筒に画像形成するための、「封筒定着ユニット」）を用いて、画像形成動作を実行し得る。
【００３０】
定着器の下流側で、搬送経路１２は、後処理装置３０の搬送経路に接続されている。搬送経路１２は、また、定着器の下流側で分岐して、反転搬送経路１２Ａに接続されている。反転搬送経路１２Ａは、画像形成部１１０の上流側の搬送経路１２に合流する。
【００３１】
画像形成部１１０は、帯電器による画像の書込み前に、感光体１１０Ａの表面を一様に帯電する。そして、画像形成部１１０は、ＬＤにより、表面が一様に帯電された感光体１１０Ａにレーザー光を照射することにより、感光体１１０Ａに静電潜像を形成する。
【００３２】
現像器は、ＬＤによって感光体１１０Ａに形成された静電潜像をトナーによって現像する。これにより、感光体１１０Ａにトナー画像が形成される。
【００３３】
転写部は、給紙トレイ１１から搬送されてきた用紙に、感光体１１０Ａのトナー画像を転写する。トナー画像が転写された用紙は、感光体１１０Ａから分離されて、定着器に搬送される。感光体１１０Ａに残留したトナー部材は、図示しないクリーニング部によって、感光体１１０Ａから除去される。
【００３４】
定着器は、搬送された用紙を加熱することにより、当該用紙に転写されたトナー画像を定着する。定着処理が施された用紙は、搬送経路１２によって、後処理装置３０に搬送されるか、反転搬送経路１２Ａを通して表裏が反転された後、画像形成部１１０の上流側で搬送経路１２に返流される。
【００３５】
なお、画像形成装置１０は、給紙トレイ１１Ａ，１１Ｂから供給される用紙の代わりに、大容量給紙装置９０から供給される用紙上に、トナー画像を形成する場合がある。
【００３６】
後処理装置３０は、画像形成装置１０の搬送経路１２に接続される、搬送経路３２を含み、さらに、搬送経路３２の途中に配置される平綴じ部３３１を含む。平綴じ部３３１は、冊子処理のための平綴じ機能を有する。冊子処理は、本開示における後処理の一例である。なお、本開示では、冊子処理は、平綴じに限定されない。冊子処理は、中綴じ、中折り、製本処理などを含む。
【００３７】
後処理装置３０は、印刷ジョブにおける後処理設定に従って、画像形成装置１０から搬送された用紙に、平綴じ部３３１で、平綴じ処理を実行する。なお、印刷ジョブにおいて後処理実行の設定がなされていない場合には、後処理を行うことなく用紙を排出する。
【００３８】
後処理装置３０は、メイン排紙トレイ３６Ａとサブ排紙トレイ３６Ｂを有している。搬送経路３２には、メイン排紙トレイ３６Ａへの用紙の搬送と、サブ排紙トレイ３６Ｂへの用紙の搬送との間で、用紙の搬送経路を切り替える、搬送切り替え部３３を有している。搬送切り替え部３３では、搬送経路３２において搬送される用紙の搬送先を、メイン排紙トレイ３６Ａ、サブ排紙トレイ３６Ｂ、および、スタッカー部３３０の間で切り替えることができる。
【００３９】
搬送切り替え部３３の構成は特に限定されるものではなく、経路切り替えを行えるものであればよく、可動ゲートなどにより構成することができる。搬送経路３２は、搬送切り替え部３３で、搬送経路３２Ａ、搬送経路３２Ｂ、および、搬送経路３２Ｃに分岐する。搬送経路３２Ａは、メイン排紙トレイ３６Ａにストレートで至る。搬送経路３２Ｂは、サブ排紙トレイ３６Ｂに至る。搬送経路３２Ｃは、スタッカー部３３０を経て、メイン排紙トレイ３６Ａに至る。
【００４０】
後処理装置３０は、さらに、挿入トレイ３７を有する挿入給紙部３７０を含む。これにより、後処理装置３０は、挿入トレイ３７にセットされた用紙を、カバー挿入紙などのインサート用紙として、画像形成装置１０から搬送されてきた用紙の間に挿入することができる。
【００４１】
［２．画像処理装置のブロック構成］
図２は、画像形成システム１の機能ブロックの一例を表わす、ブロック図である。以下、画像形成システム１内の各装置の構成を説明する。
【００４２】
（１）大容量給紙装置９０の構成
大容量給紙装置９０は、ＣＰＵ（Central  Processing  Unit）９００、ＲＯＭ（Read  Only  Memory）９０１、および、ＲＡＭ（Random  Access  Memory）９０２を含む。
【００４３】
大容量給紙装置９０は、用紙搬送部９２１に接続され、給紙トレイ９２〜９４内の用紙をピックアップするピックアップローラー、用紙を用紙搬送部９２１に搬送するためのローラーを含む。用紙搬送部９２１は、搬送ローラーを含む。
【００４４】
大容量給紙装置９０は、搬送経路９１上の各所における用紙の通過を検知するための１つ以上のセンサー９６０を含む。センサー９６０のそれぞれからの検知出力は、インターフェースとして機能する入力部９６１を介して、ＣＰＵ９００へ入力される。
【００４５】
大容量給紙装置９０は、用紙搬送部９２１に設けられたローラーを駆動するモーター等の、１つ以上の負荷９７０を有する。ＣＰＵ９００は、図示しない電源回路から、インターフェースとして機能する出力部９７１を介して、負荷９７０のそれぞれへ電力を供給する。
【００４６】
本体Ｉ／Ｆ９５０は、画像形成装置１０との間で各種情報のやり取りを行うインターフェースとして機能する。本体Ｉ／Ｆ９５０は、たとえばネットワークカード等の通信装置によって実現される。
【００４７】
（２）画像形成装置１０の構成
画像形成装置１０は、画像処理部１０５、画像読取部１３０、画像形成部１１０、操作パネル１４０、ＣＰＵ１００、ＲＯＭ１０１、ＲＡＭ１０２、ＨＤＤ（ハードディスクドライブ）１０３、および、後処理機Ｉ／Ｆ（インファーフェース）１５０を含む。
【００４８】
画像処理部１０５は、画像読取部１３０によって読み取られた原稿画像の画像データや図示しないＨＤＤ１０３などに格納された画像データに対して、各種画像処理を施す。
【００４９】
画像読取部１３０は、原稿に対して図示しない光源により光を照射し、その反射光に基づいて、原稿画像の画像データを読み取る。読み取られた画像データは、画像形成部１１０に通知されるとともに、ＨＤＤ１０３などに格納される。
【００５０】
画像形成部１１０は、画像読取部１３０により読み取られ、画像処理部１０５により画像処理が施された画像データや外部から取得した画像データなどに基づいて、用紙に画像を形成する。用紙に対して画像を形成する方法としては、電子写真方式、インクジェット方式、レーザープリント方式等が考えられる。
【００５１】
操作パネル１４０は、図１を参照して説明されたように、ＬＣＤ１４等の表示装置と、タッチセンサー等の入力装置とを含む。これにより、操作パネル１４０は、情報を表示し、また、情報の入力するための操作を受け付ける。操作パネル１４０は、画像形成装置１０の本体に対して着脱可能に構成されていてもよい。また、操作パネル１４０は、画像形成装置１０と通信可能な端末（スマートフォン）によって実現される場合もあり得る。
【００５２】
ＣＰＵ１００は、画像形成装置１０内の各部から通知される情報に基づいて、画像形成装置１０全体の動作を制御する。また、ＣＰＵ１００は、大容量給紙装置９０や後処理装置３０に制御指令を送信してこれら装置を制御することができる。すなわち、ＣＰＵ１００は、画像形成システム１全体の制御部として機能する場合もあり得る。
【００５３】
ＲＯＭ１０１は、各種のプログラム或いはデータを格納する。ＣＰＵ１００は、ＲＯＭ１０１からプログラム或いはデータを読み出して、画像形成装置１０を制御する。なお、ＣＰＵ１００は、画像形成装置１０に対して着脱可能な、非一時的にデータを格納する記録媒体に格納されたプログラム、または、画像形成装置１０と通信可能な記憶装置に格納されたプログラムを実行することによって画像形成装置１０を制御する場合もあり得る。
【００５４】
ＲＡＭ１０２は、ＣＰＵ１００が画像形成装置１０を制御する際に必要なプログラム或いはデータを一時的に記憶する場所である。ＨＤＤなどには、画像読取部１３０により読み取られた画像データ等が格納される。
【００５５】
画像形成装置１０は、１つ以上のセンサー１６０を含む。センサー１６０のそれぞれからの検知出力は、インターフェースとして機能する入力部１６１を介して、ＣＰＵ１００へ入力される。
【００５６】
センサー１６０は、搬送経路１２上の各所における用紙の通過を検知するセンサー、画像形成装置１０における各種の扉やカバーの開閉を検知するセンサー、給紙トレイ１１Ａ，１１Ｂのそれぞれの装着の有無を検知するセンサー、給紙トレイ１１Ａ，１１Ｂのそれぞれに収容されている用紙の種類を検知するセンサー、画像形成部１１０で使用するトナーの種類を検知するセンサー、および、画像形成部１１０の定着器として設置されている定着ユニットの種類を検知するセンサーを含む。
【００５７】
画像形成装置１０は、用紙搬送部１２１に設けられたローラーを駆動するモーター等の、１つ以上の負荷１７０を有する。ＣＰＵ１００は、図示しない電源回路から、インターフェースとして機能する出力部１７１を介して、負荷１７０のそれぞれへ電力を供給する。
【００５８】
給紙装置Ｉ／Ｆ１４９は、大容量給紙装置９０との間で各種情報のやり取りを行うインターフェースとして機能する。後処理機Ｉ／Ｆ１５０は、後処理装置３０との間で各種情報のやり取りを行うインターフェースとして機能する。給紙装置Ｉ／Ｆ１４９、および、後処理機Ｉ／Ｆ１５０は、いずれも、たとえばネットワークカード等の通信装置によって実現される。
【００５９】
画像形成装置１０は、搬送経路１２等の経路上の各所における用紙の通過を検知するための１つ以上のセンサー１６０を含む。センサー１６０のそれぞれからの検知出力は、インターフェースとして機能する入力部１６１を介して、ＣＰＵ１００へ入力される。
【００６０】
画像形成装置１０は、用紙搬送部１２１に設けられたローラーを駆動するモーター等の、１つ以上の負荷１７０を有する。ＣＰＵ１００は、図示しない電源回路から、インターフェースとして機能する出力部１７１を介して、負荷１７０のそれぞれへ電力を供給する。
【００６１】
（３）後処理装置３０の構成
後処理装置３０は、ＣＰＵ１００、ＲＯＭ１０１、ＲＡＭ１０２、および、前段Ｉ／Ｆ１５０を含む。前段Ｉ／Ｆ３１０は、画像形成装置１０の後処理機Ｉ／Ｆ１５０と各種情報のやり取りを行うインターフェースとして機能する。たとえば、ネットワークカードによって実現される。
【００６２】
後処理装置３０は、用紙搬送部３２０を含む。用紙搬送部３２０は、各種のローラーを回転させること等により、後処理装置３０内で用紙を搬送する。
【００６３】
後処理装置３０には、搬送経路３２の中途に、用紙をスタックするスタッカー部３３０が設けられている。
【００６４】
平綴じ部３３１は、複数枚の用紙に対し平綴じを行うものであり、スタッカー部３３０でスタックされた用紙を受け、当該用紙を平綴じする。スタッカー部３３０および平綴じ部３３１は、本実施の形態の後処理を実行する後処理装置の具体例である。
【００６５】
挿入給紙部３７０は、用紙中にインサート紙を挿入するものであり、挿入トレイ３７を有している。
【００６６】
メイントレイユニット３６０は、冊子を排紙するメイン排紙トレイ３６Ａを動作させるユニットである。また、後処理装置３０には、メイン排紙トレイ３６Ａとは異なるサブ排紙トレイ３６Ｂを備えている。
【００６７】
後処理装置３０では、メイントレイユニット３６０、スタッカー部３３０、平綴じ部３３１、挿入給紙部３７０、および、用紙搬送部３２０の動作は、ＣＰＵ１００によって制御される。
【００６８】
後処理装置３０は、搬送経路３２等の経路上の各所における用紙の通過を検知するための１つ以上のセンサー３１８を含む。センサー３１８のそれぞれからの検知出力は、インターフェースとして機能する入力部１６１を介して、ＣＰＵ１００へ入力される。
【００６９】
また、後処理装置３０は、メイントレイユニット３６０に設けられたローラーを駆動するモーター等の、１つ以上の負荷３２０を有する。ＣＰＵ３００は、図示しない電源回路から、インターフェースとして機能する出力部３７１を介して、負荷３２０のそれぞれへ電力を供給する。
【００７０】
［３．画像処理装置の機能的な構成］
（１）設定記憶機能
画像形成システム１では、画像形成について、ユーザーごとにカスタマイズされた設定内容を格納することができる。図３は、ＨＤＤ１０３に格納されるカスタマイズ情報の内容の一例を模式的に示す図である。
【００７１】
図３に示されるように、カスタマイズ情報は、ユーザーＩＤと、設定ＩＤと、時間的条件と、装置情報と、ジョブ情報とを、互いに関連付ける。この意味において、ジョブ情報は、装置情報に付随すると言うことができる。
【００７２】
装置情報は、画像形成手段として必要とする要素を特定する。より具体的には、装置情報は、画像形成装置１０において利用される用紙の種類を特定する項目「用紙」と、追加的に使用される要素（ユニット）を特定する項目「追加要素」とを含む。
【００７３】
ジョブ情報は、ジョブが実行されるときの画像形成装置１０の動作内容を特定する。より具体的には、ジョブ情報は、ページ集約、倍率（倍率変更設定）、両面（両面印刷設定）、および、後処理（後処理動作設定）を含む。
【００７４】
図３に示された例は、ユーザーＩＤ「０１２３」のユーザーに対してカスタマイズされた情報である。図３の例は、２組の情報、つまり、設定ＩＤ「ＵＴ−１」で特定される情報、および、設定ＩＤ「ＵＲ−２」で特定される情報を含む。
【００７５】
まず、設定ＩＤ「ＵＴ−１」について説明する。
設定ＩＤ「ＵＴ−１」は、２種類の時間的条件のそれぞれの設定を含む。より具体的には、設定ＩＤ「ＵＴ−１」は、時間的条件「月曜日から金曜日までの、９時から１７時までの時間帯」に関連付けて、装置情報において、用紙「封筒」および追加部品「封筒定着ユニット」を特定する。カスタマイズ情報における装置情報は、当該装置情報に対応する時間的条件の条件下で、画像形成動作に用いられる装置の要素を特定する。つまり、設定ＩＤ「ＵＴ−１」では、装置情報は、画像形成に「封筒用紙」を使用することを特定し、さらに、定着ユニットとして「封筒定着ユニット」を使用することを特定する。
【００７６】
項目「用紙」の値は、たとえば、画像形成手段の要素の一例である「給紙トレイ」の種類を特定する。また、値「封筒」は、封筒用紙を給紙する給紙トレイを特定する。
【００７７】
項目「追加要素」の値は、たとえば、画像形成手段の要素の他の例である「定着器」の種類を特定する。また、値「封筒定着」は、封筒定着ユニットを特定する。
【００７８】
以上より、ユーザーＩＤ「０１２３」のユーザーが、月曜から金曜の９時から１７時の間に画像形成装置１０において設定ＩＤ「ＵＴ−１」を選択した場合、画像形成装置１０における画像形成動作において、以下の状態が発生する。すなわち、装置情報における項目「用紙」の値が「封筒」であることに基づき、画像形成装置１０のＣＰＵ１００は、画像形成装置１０または大容量給紙装置９０に装着されている給紙トレイが、封筒用紙を給紙する給紙トレイを含まない場合、封筒用紙を給紙する給紙トレイを装着することを促す警告を表示する。また、装置情報における「追加要素」の値が「封筒定着」であることに基づき、ＣＰＵ１００は、画像形成装置１０において定着器として装着されるユニットが封筒定着ユニットではない場合、定着器として封筒定着ユニットを装着することを促す警告を表示する。
【００７９】
なお、ＣＰＵ１００は、装着されている給紙トレイの種類を、センサー１６０の検出出力に基づいて特定することができる。また、ＣＰＵ１００は、装着されている定着ユニットの種類を、センサー１６０の検出出力に基づいて特定することができる。
【００８０】
図３の例では、設定ＩＤ「ＵＴ−１」は、ジョブ情報についての各項目（ページ集約、倍率、両面、および、後処理）については、情報を特定していない。
【００８１】
また、図３の例では、設定ＩＤ「ＵＴ−１」は、「月曜から金曜の９時から１７時」以外の時間帯（土曜および日曜の終日、ならびに、月曜から金曜の０時から８時５９分および１７時１分から２３時５９分）については、装置情報およびジョブ情報のいずれについても、情報を特定していない。
【００８２】
つぎに、図３の例における設定ＩＤ「ＵＴ−２」について説明する。
設定ＩＤ「ＵＴ−２」の時間的情報の値は、「全時間帯」である。
【００８３】
また、設定ＩＤ「ＵＴ−２」の装置情報において、項目「用紙」の値は「Ａ４」である。項目「追加要素」の値は設定されていない。
【００８４】
一方、設定ＩＤ「ＵＴ−２」のジョブ情報において、項目「ページ集約」の値は「２ｉｎ１」である。項目「倍率」の値は設定されていない。項目「両面」の値は「有り」である。項目「後処理」の値は「ステープル」である。
【００８５】
以上より、ユーザーＩＤ「０１２３」のユーザーが設定ＩＤ「ＵＴ−２」を選択した場合、ＣＰＵ１００は、画像形成装置１０または大容量給紙装置９０に装着されている給紙トレイが「Ａ４給紙トレイ」を含まない場合、「Ａ４給紙トレイ」を装着することを促す警告を表示する。また、ＣＰＵ１００は、画像形成動作において、「２ｉｎ１」で用紙を集約し、用紙の両面に画像を形成し、そして、後処理装置３０に用紙のステープルを実行させる。
【００８６】
なお、本実施の形態では、カスタマイズ情報は、少なくとも装置情報を含めばよい。
また、本実施の形態では、カスタマイズ情報は、ユーザーに関連付けられている必要はない。つまり、カスタマイズ情報は、画像形成装置１０を利用するどのユーザーに対しても適用されるように、記憶されていてもよい。
【００８７】
また、装置情報は、図３に示された項目以外の項目（たとえば、使用されるトナーユニット（特殊トナーユニット等））を特定してもよい。
【００８８】
（２）設定呼出機能
画像形成システム１のＣＰＵ１００は、図３に示されたように記憶されたカスタマイズ情報を、たとえば、操作パネル１４０を操作されることにより、呼び出す。図４は、ユーザーに、呼び出される設定を選択させるためにＬＣＤ１４に表示される画面の一例を示す図である。なお、本実施の形態では、ＣＰＵ１００は、認証したユーザーのみに操作を許可する。そして、ＣＰＵ１００は、認証されたユーザーに関連付けられて記憶されている設定ＩＤのそれぞれを表わす複数のボタンを表示する。図４の画面５００は、当該「複数のボタン」として、ボタン５０１〜５０５を表示する。
【００８９】
ユーザーは、画面５００からボタン５０１〜５０５のいずれかを操作することにより、当該ユーザーに関連付けられている設定のうち１組の設定を選択する。なお、図４のボタン５０１〜５０５のそれぞれは、図３の「設定ＩＤ」単位の情報の組に対応する。ＣＰＵ１００は、ユーザーによって操作されたボタンに対応する「設定ＩＤ」（図３）に関連付けられた情報の組を、選択された設定として扱う。
【００９０】
（３）警告表示機能
図５は、ユーザーが、画像形成装置１０において画像形成についての設定を選択したときに、ＬＣＤ１４に表示される警告画面の一例を説明するための図である。
【００９１】
図５の画面５１０は、メッセージ５１１を含む。メッセージ５１１は、図３の設定ＩＤ「ＵＴ−１」の、時間帯「月曜から金曜の９時から１７時」に関連付けられた設定に対応した警告表示である。
【００９２】
より具体的には、メッセージ５１１は、項目「用紙」の値「封筒」に対応する２つのメッセージ「・用紙交換→『封筒』」「・給紙トレイ交換→『封筒給紙トレイ』」を含む。当該２つのメッセージは、画像形成の用紙として「封筒」を使用すること、および、当該「封筒」を使用するために給紙トレイとして「封筒給紙トレイ」を装着することを促す。
【００９３】
また、メッセージ５１１は、項目「追加要素」の値「封筒定着」に対応する１つのメッセージ「・ユニット交換→『封筒定着ユニット』」を含む。このメッセージは、画像形成において使用される定着ユニットとして、「封筒定着ユニット」を装着することを促す。
【００９４】
（４）オートリセット機能
画像形成装置１０では、図５のボタン５０１等を操作することによって設定が選択された後、たとえば、操作パネル１４０において、一定時間以上継続して操作がなされなければ、選択された装置情報およびジョブ情報の設定がリセットされる。本明細書では、設定をリセットする機能を、オートリセット機能と呼ぶ。
【００９５】
画像形成装置１０のＨＤＤ１０３には、デフォルトの設定が格納されている。ＣＰＵ１００は、オートリセット機能によって、各種の設定をデフォルトの設定に戻す。
【００９６】
画像形成装置１０は、たとえば、ログインユーザー（認証されたユーザー）が、図５に示されたような画面で設定を選択した後、一定時間以上操作パネル１４０を操作しないことに応じて、当該ユーザーの認証を解除するとともに、上記オールリセットにより、装置情報についての設定をデフォルトに戻してもよい。
【００９７】
また、画像形成装置１０は、認証されないユーザーに対しても操作を許可する場合、単に、操作パネル１４０が一定時間以上操作を受け付けないことに応じて、上記オールリセットにより、装置情報についての設定をデフォルトに戻してもよい。
【００９８】
［４．処理の流れ］
図６〜図１１は、画像形成についての設定を指定するためにユーザーが操作パネル１４０を操作したときに、画像形成装置１０のＣＰＵ１００が実行する処理のフローチャートである。
【００９９】
まず図６を参照して、ＣＰＵ１００は、ステップＳ１００で、操作パネル１４０に対する操作の受付を開始する。画像形成装置１０がユーザーの認証を実行する機能を有する場合には、ＣＰＵ１００は、ステップＳ１００でユーザー認証を実行する。そして、制御はステップＳ２００へ進められる。
【０１００】
ステップＳ２００は、画像形成システム１における画像形成についての設定を呼び出す制御である。図７は、図６のステップＳ２００のサブルーチンのフローチャートである。ステップＳ２００の制御を、図７を参照して説明する。
【０１０１】
図７を参照して、ステップＳ２０２で、ＣＰＵ１００は、ステップＳ１００でユーザー認証が実行されたか否かを判断する。そして、ＣＰＵ１００は、ユーザー認証が実行されたと判断すると、ステップＳ２０４へ制御を進める。一方、ＣＰＵ１００は、ユーザー認証が実行されていないと判断すると、ステップＳ２２２へ制御を進める。
【０１０２】
ステップＳ２０４で、ＣＰＵ１００は、ユーザー認証を完了させ、当該認証によって認証されたユーザーの情報（ユーザーＩＤ等）を取得する。そして、制御はステップＳ２０６へ進められる。
【０１０３】
ステップＳ２０６で、ＣＰＵ１００は、認証されたユーザーのカスタマイズ情報（図３参照）が項目「時間的条件」（曜日／時刻）を含むか否かを判断し、判断の結果に応じて制御を進める。より具体的には、ＣＰＵ１００は、認証されたユーザーのカスタマイズ情報が、項目「時間的条件」を含むと判断すると、ステップＳ２０８へ制御を進める。たとえば、図３に示された例では、カスタマイズ情報は、項目「時間的条件」を含む。これにより、制御はステップＳ２０８へ進められる。一方、ＣＰＵ１００は、カスタマイズ情報が項目「時間的条件」を含まないと判断すると、ステップＳ２１２へ制御を進める。
【０１０４】
ステップＳ２０８で、ＣＰＵ１００は、カスタマイズ情報から、現在の時刻を包含する時間的条件を有する設定ＩＤを呼び出す。たとえば、現在が火曜日の午前１０時であれば、図３に示されたカスタマイズ情報から、設定ＩＤ「ＵＴ−１」において「月曜〜金曜  9:00〜17:00」で指定される設定（装置情報およびジョブ情報）と、設定ＩＤ「ＵＴ−２」の設定（装置情報およびジョブ情報）とを呼び出す。そして、制御はステップＳ２１０へ進められる。
【０１０５】
ステップＳ２１０で、ＣＰＵ１００は、現在の画像形成システム１の状態とステップＳ２０８で呼び出された設定とに基づいて、図５等を参照して説明された警告についての、メッセージを生成する制御（一括設定制御）を実行する。ステップＳ２１０の制御は、図８を参照して後述する。ステップＳ２１０の制御の後、ＣＰＵ１００は、ステップＳ２１８へ制御を進める。
【０１０６】
ステップＳ２１２で、ＣＰＵ１００は、以前、認証したユーザーが画像形成システム１において画像形成を指示したときの設定（装置情報およびジョブ情報、もしくは、少なくとも装置情報）がＨＤＤ１０３に残されているか否かを判断する。そして、ＣＰＵ１００は、そのような設定が残されていれば、ステップＳ２１４へ制御を進める。一方、ＣＰＵ１００は、そのような設定が残されていないと判断すると、ステップＳ２１８へ制御を進める。
【０１０７】
ステップＳ２１４で、ＣＰＵ１００は、ユーザーが操作パネル１４０に対して設定を呼び出す操作を受け付け、ＨＤＤ１０３に予め格納されている設定を呼び出す。なお、ＣＰＵ１００は、ユーザーから特段の操作がなされなくても、画像形成装置１０にデフォルトで登録されている設定を呼び出しても良い。そして、制御は、ステップＳ２１６へ進められる。
【０１０８】
ステップＳ２１６で、ＣＰＵ１００は、ステップＳ２１０と同様に、一括設定制御を実行する。一括設定制御は、図８を参照して後述される。その後、制御はステップＳ２１８へ進められる。
【０１０９】
ステップＳ２２２〜ステップＳ２３２の制御に関し、画像形成装置１０のＨＤＤ１０３には、図３を参照して説明されたようなカスタマイズ情報が、ユーザーに関連付けられない状態でも、登録され得る。つまり、ＨＤＤ１０３には、ユーザーＩＤを欠いたカスタマイズ情報が、図３に示されたカスタマイズ情報とともに、または、図３に示されたカスタマイズ情報の代わりに、登録されている。そして、ステップＳ２２２〜ステップＳ２３２で、ＣＰＵ１００は、ステップＳ２０６〜ステップＳ２２６と同様の制御を実行する。ステップＳ２０６〜ステップＳ２２６の制御が認証されたユーザーに関連付けられてＨＤＤ１０３に格納されているカスタマイズ情報を利用するのに対し、ステップＳ２２２〜ステップＳ２３２の制御は、画像形成装置１０において全ユーザー共通で利用され得る設定を表すカスタマイズ情報等の、個別のユーザーに関連付けられていないカスタマイズ情報を利用する。個別のユーザーに関連付けられていないカスタマイズ情報とは、たとえば、図３に示されたカスタマイズ情報からユーザーＩＤの項目が削除されたものである。以下、ステップＳ２２２〜ステップＳ２３２の制御を説明する。
【０１１０】
すなわち、ステップＳ２２２で、ＣＰＵ１００は、ＨＤＤ１０３に格納されているカスタマイズ情報が項目「時間的条件」（曜日／時刻）を含むか否かを判断し、判断の結果に応じて制御を進める。より具体的には、ＣＰＵ１００は、認証されたユーザーのカスタマイズ情報が、項目「時間的条件」を含むと判断すると、ステップＳ２２４へ制御を進める。一方、ＣＰＵ１００は、カスタマイズ情報が項目「時間的条件」を含まないと判断すると、ステップＳ２２８へ制御を進める。
【０１１１】
ステップＳ２２４で、ＣＰＵ１００は、カスタマイズ情報から、現在の時刻を包含する時間的条件を有する設定ＩＤを呼び出す。そして、制御はステップＳ２２６へ進められる。
【０１１２】
ステップＳ２２６で、ＣＰＵ１００は、現在の画像形成システム１の状態とステップＳ２２４で呼び出された設定とに基づいて、一括設定制御を実行する。一括設定制御については、図８を参照して後述する。ステップＳ２２６の制御の後、ＣＰＵ１００は、ステップＳ２３４へ制御を進める。
【０１１３】
ステップＳ２２８で、ＣＰＵ１００は、ＨＤＤ１０３に、画像形成装置１０におけるデフォルトの設定を表すカスタマイズ情報が格納されているかどうかを判断する。そして、ＣＰＵ１００は、デフォルトのカスタマイズ情報が格納されていると判断すると、ステップＳ２３０へ制御を進める。一方、ＣＰＵ１００は、そのようなカスタマイズ情報が格納されていないと判断すると、ステップＳ２３４へ制御を進める。
【０１１４】
ステップＳ２３０で、ＣＰＵ１００は、デフォルトの設定を表すカスタマイズ情報を呼び出す。そして、制御は、ステップＳ２３２へ進められる。
【０１１５】
ステップＳ２３２で、ＣＰＵ１００は、ステップＳ２１０と同様に、一括設定制御を実行する。一括設定制御は、図８を参照して後述される。その後、制御はステップＳ２１８へ進められる。
【０１１６】
ここで、図８を参照して、一括設定制御について説明する。図８は、一括設定制御のサブルーチンのフローチャートである。
【０１１７】
一括設定制御において、ＣＰＵ１００は、ステップＳ５０２で、画像形成システム１の画像形成動作の制御内容を、現在読み出されているカスタマイズ情報のジョブ情報（図３等）に従って変更する。つまり、ステップＳ５０２では、画像形成システム１における画像形成の設定が、読み出されているカスタマイズ情報におけるジョブ情報の、ページ集約、倍率、両面、および後処理の各項目で指定されている内容へと変更される。なお、これらの項目のうち、カスタマイズ情報において指定されていない項目は、その時点での画像形成システム１における設定が維持される。そして、制御はステップＳ５０４へ進められる。
【０１１８】
ステップＳ５０４で、ＣＰＵ１００は、給紙トレイの交換が必要であるか否かを判断する。より具体的には、ＣＰＵ１００は、読み出されているカスタマイズ情報によって特定される項目「用紙」によって特定される給紙トレイが、その時点の画像形成システム１において使用可能な給紙トレイに含まれるか否かを判断する。そして、前者の給紙トレイが後者の給紙トレイに含まれない場合、ＣＰＵ１００は、給紙トレイの交換が必要であると判断して、ステップＳ５０６へ制御を進める。一方、前者の給紙トレイが後者の給紙トレイを含まれる場合、ＣＰＵ１００は、給紙トレイの交換が不要であると判断して、ステップＳ５０８へ制御を進める。
【０１１９】
ステップＳ５０６で、ＣＰＵ１００は、給紙トレイの交換が必要であることを報知する警告メッセージをＬＣＤ１４に表示する。そして、制御はステップＳ５０８へ進められる。なお、図５のメッセージ５１１内の２つのメッセージ「・用紙交換→『封筒』」「・給紙トレイ交換→『封筒給紙トレイ』」は、ステップＳ５０６で表示される警告メッセージの一例である。
【０１２０】
ステップＳ５０８で、ＣＰＵ１００は、要素の交換が必要であるか否かを判断する。具体的には、たとえば、ＣＰＵ１００は、読み出されているカスタマイズ情報の項目「追加要素」で特定される要素が画像形成システム１において装着されているか否かを判断する。そして、ＣＰＵ１００は、当該要素が装着されていないと判断すると、要素の交換が必要であると判断して、ステップＳ５１０へ制御を進める。たとえば、図３に示されたように、カスタマイズ情報では封筒定着ユニットが必要とされる場合であって、画像形成システム１において封筒定着ユニットが装着されていない場合には、ステップＳ５１０へ制御を進める。
【０１２１】
一方、ＣＰＵ１００は、読み出されているカスタマイズ情報の項目「追加要素」で特定される要素が画像形成システム１において装着されている場合、要素の交換は不要であると判断して、制御をリターンさせる。
【０１２２】
ステップＳ５１０で、ＣＰＵ１００は、読み出されているカスタマイズ情報の項目「追加要素」の項目によって特定される要素の交換が必要であることを報知する警告メッセージをＬＣＤ１４に表示する。そして、制御はリターンされる。なお、図５のメッセージ５１１内のメッセージ「・ユニット交換→『封筒定着ユニット』」は、ステップＳ５０６で表示される警告メッセージの一例である。
【０１２３】
図７に戻って、ステップＳ２１８で、ＣＰＵ１００は、認証されているユーザーのカスタマイズ情報として新たに登録された情報があるか否かを判断する。たとえば、ユーザーが、ステップＳ２１０等における警告表示を参照した後、カスタマイズ情報を変更する指示を入力した場合、ＣＰＵ１００は、ステップＳ２１８で、新たに登録された情報があると判断して、ステップＳ２２０へ制御を進める。一方、ＣＰＵ１００は、新たに登録された情報がないと判断すると、ステップＳ２３８へ制御を進める。
【０１２４】
ステップＳ２２０で、ＣＰＵ１００は、ステップＳ２１８で登録された情報が反映されるようにカスタマイズ情報を更新し、そして、当該更新の登録したことをＬＣＤ１４に表示する。そして、制御はステップＳ２３８へ進められる。
【０１２５】
一方、ステップＳ２３４で、ＣＰＵ１００は、画像形成システム１に新たに登録された情報があるか否かを判断する。たとえば、現在操作パネル１４０を操作しているユーザーが、ステップＳ２２８等における警告表示を参照した後、カスタマイズ情報を変更する指示を入力した場合、ＣＰＵ１００は、ステップＳ２３４で、新たに登録された情報があると判断して、ステップＳ２３６へ制御を進める。一方、ＣＰＵ１００は、新たに登録された情報がないと判断すると、ステップＳ２３８へ制御を進める。
【０１２６】
ステップＳ２３６で、ＣＰＵ１００は、ステップＳ２３４で登録された情報が反映されるように（特定のユーザーに関連付けられていない）カスタマイズ情報を更新し、そして、当該更新の登録したことをＬＣＤ１４に表示する。そして、制御はステップＳ２３８へ進められる。
【０１２７】
ステップＳ２３８で、ＣＰＵ１００は、図７の処理が終了したことを画像形成装置１０内で設定して（たとえば、フラグを立てること）、制御を図６の処理へリターンさせる。
【０１２８】
図６に戻って、ＣＰＵ１００は、ステップＳ２００の後、ステップＳ３００へ制御を進める。
【０１２９】
ステップＳ３００で、ＣＰＵ１００は、ステップＳ２００のサブルーチン（ステップＳ２２０またはステップＳ２３６）において、新たに登録された設定があったか否かを判断する。そして、ＣＰＵ１００は、新たに登録された設定があったと判断すると、ステップＳ４００へ制御を進める。一方、ＣＰＵ１００は、当該サブルーチンで新たに登録された設定はなかったと判断すると、ステップＳ５００へ制御を進める。
【０１３０】
ステップＳ４００で、ＣＰＵ１００は、新たに登録された設定（更新後のカスタマイズ情報）が、操作パネル１４０におけるユーザーの操作によって呼び出されたか否かを判断する。そして、ＣＰＵ１００は、新たに登録された設定が呼び出されたと判断すると、ステップＳ５００へ制御を進める。一方、ＣＰＵ１００は、新たに登録された設定が呼び出されていないと判断すると、ステップＳ６００へ制御を進める。
【０１３１】
ステップＳ５００で、ＣＰＵ１００は、ステップＳ４００で呼び出されたと判断した設定を用いて、図８を参照して説明された一括設定制御を実行する。その後、制御はステップＳ６００へ進められる。
【０１３２】
ステップＳ６００で、ＣＰＵ１００は、それまでに実行された一括設定制御（図８）において、ステップＳ５０６またはステップＳ５１０の少なくとも一方の制御が実行されることにより、警告の表示がなされたか否かを判断する。そして、ＣＰＵ１００は、警告の表示がなされたと判断すると、ステップＳ７００へ制御を進める。一方、ＣＰＵ１００は、警告の表示はなされていないと判断すると、ステップＳ８００へ制御を進める。
【０１３３】
ステップＳ７００で、ＣＰＵ１００は、警告メッセージ（Ｍｓｇ）制御処理を実行する。図９は、警告メッセージ制御処理のサブルーチンのフローチャートである。図９を参照して、警告メッセージ制御処理について説明する。
【０１３４】
図９を参照して、警告メッセージ制御処理のステップＳ７０２で、ＣＰＵ１００は、警告の表示が、用紙交換（給紙トレイの交換）の警告メッセージ（ステップＳ５０６）を含むか否かを判断する。そして、ＣＰＵ１００は、警告の表示が、用紙交換の警告メッセージを含むと判断すると、ステップＳ７０４へ制御を進める。一方、ＣＰＵ１００は、警告の表示が、用紙交換の警告メッセージを含まないと判断すると、ステップＳ７０８へ制御を進める。
【０１３５】
ステップＳ７０４で、ＣＰＵ１００は、用紙交換（給紙トレイの交換）の対象となった給紙トレイの扉が開かれたか否かを判断する。扉の開閉は、たとえば、センサー１１５またはセンサー２２０の検出出力に基づいて判断される。そして、ＣＰＵ１００は、当該扉が開かれたと判断すると、ステップＳ７０６で用紙交換の警告メッセージの表示をＬＣＤ１４から消去させた後、ステップＳ７０８へ制御を進める。一方、ＣＰＵ１００は、当該扉が開かれていないと判断すると、ステップＳ７０６の制御を実行することなく、ステップＳ７０８へ制御を進める。
【０１３６】
ステップＳ７０８で、ＣＰＵ１００は、警告の表示が、要素交換（ユニット交換）の警告メッセージ（ステップＳ５１０）を含むか否かを判断する。そして、ＣＰＵ１００は、警告の表示が、要素交換の警告メッセージを含むと判断すると、ステップＳ７１０へ制御を進める。一方、ＣＰＵ１００は、警告の表示が、要素交換の警告メッセージを含まないと判断すると、ステップＳ７１４へ制御を進める。
【０１３７】
ステップＳ７１０で、ＣＰＵ１００は、交換の対象となった要素を交換するために開閉されるべき扉が開かれたか否かを判断する。扉の開閉は、たとえば、センサー１１５またはセンサー２２０の検出出力に基づいて判断される。そして、ＣＰＵ１００は、当該扉が開かれたと判断すると、ステップＳ７１２で要素交換（ユニット交換）の警告メッセージの表示をＬＣＤ１４から消去させた後、ステップＳ７１４へ制御を進める。一方、ＣＰＵ１００は、当該扉が開かれていないと判断すると、ステップＳ７１２の制御を実行することなく、ステップＳ７１４へ制御を進める。
【０１３８】
ステップＳ７１４で、ＣＰＵ１００は、操作パネル１４０において、警告表示を消去するための操作がなされたか否かを判断する。そして、ＣＰＵ１００は、当該操作がなされたと判断すると、ステップＳ７１６でＬＣＤ１４０上の用紙交換および要素交換の双方の警告を消去させた後、ステップＳ７１８へ制御を進める。一方、ＣＰＵ１００は、当該操作がなされていないと判断すると、ステップＳ７１６の制御を実行することなく、ステップＳ７１８へ制御を進める。
【０１３９】
ステップＳ７１８で、ＣＰＵ１００は、ＬＣＤ１４０上の用紙交換および要素交換の双方が消去された（双方が表示されない状態になった）か否かを判断する。そして、ＣＰＵ１００は、まだ少なくとも一方が表示されていると判断すると、ステップＳ７０２へ制御を戻す。一方、ＣＰＵ１００は、双方が消去されたと判断すると、図６へ制御を戻す。
【０１４０】
図６に戻って、ステップＳ８００で、ＣＰＵ１００は、操作パネル１４０において、カスタマイズ情報を登録する操作がなされたか否かを判断する。そして、ＣＰＵ１００は、当該操作がなされたと判断すると、ステップＳ９００で設定記憶制御処理を実行した後、ステップＳ１０００へ制御を進める。一方、ＣＰＵ１００は、当該操作がなされていないと判断すると、ステップＳ９００を実行することなく、ステップＳ１０００へ制御を実行する。
【０１４１】
図１０は、設定記憶制御処理のサブルーチンのフローチャートである。図１０を参照して、設定記憶制御処理について説明する。
【０１４２】
図１０を参照して、ステップＳ９０２で、ＣＰＵ１００は、登録されることによって新たに記憶されるべき情報が装置情報であるか否かを判断する。そして、ＣＰＵ１００は、操作パネル１４０に対する操作内容に基づき、新たに記憶されるべき情報が装置情報であると判断すると、ステップＳ９０４へ制御を進める。一方、ＣＰＵ１００は、新たに記憶されるべき情報が装置情報ではないと判断すると、ステップＳ９１８へ制御を進める。
【０１４３】
ステップＳ９０４で、ＣＰＵ１００は、ユーザー認証が実行されているか否かを判断する。そして、ＣＰＵ１００は、ユーザー認証が実行されていると判断すると、ステップＳ９０６へ制御を進め、ユーザー認証が実行されていないと判断すると、ステップＳ９１２へ制御を進める。
【０１４４】
ステップＳ９０６で、ＣＰＵ１００は、登録されるべき情報が、時間的情報（曜日、時刻）の設定を含むか否かを判断する。そして、ＣＰＵ１００は、登録されるべき情報が時間的情報を含むと判断した場合、ステップＳ９０８で、登録される装置情報を時間的情報と関連付けて、カスタマイズ情報として登録した後、ステップＳ９１８へ制御を進める。一方、ＣＰＵ１００は、登録されるべき情報が時間的情報を含まないと判断した場合、ステップＳ９１０で、登録される装置情報を時間的情報とは関連付けずに、カスタマイズ情報として登録した後、ステップＳ９１８へ制御を進める。
【０１４５】
なお、ステップＳ９０８およびステップＳ９１０では、装置情報は、認証されているユーザーのユーザーＩＤと関連付けられたカスタマイズ情報として登録される。
【０１４６】
ステップＳ９１２で、ＣＰＵ１００は、登録されるべき情報が、時間的情報（曜日、時刻）の設定を含むか否かを判断する。そして、ＣＰＵ１００は、登録されるべき情報が時間的情報を含むと判断した場合、ステップＳ９１４で、登録される装置情報を時間的情報と関連付けて、カスタマイズ情報として登録した後、ステップＳ９１８へ制御を進める。一方、ＣＰＵ１００は、登録されるべき情報が時間的情報を含まないと判断した場合、ステップＳ９１６で、登録される装置情報を時間的情報とは関連付けずに、カスタマイズ情報として登録した後、ステップＳ９１８へ制御を進める。
【０１４７】
なお、ステップＳ９１４およびステップＳ９１６では、装置情報は、ユーザーのユーザーＩＤと関連付けられることなく、カスタマイズ情報として登録される。
【０１４８】
ステップＳ９１８で、ＣＰＵ１００は、登録されることによって新たに記憶されるべき情報がジョブ情報であるか否かを判断する。そして、ＣＰＵ１００は、操作パネル１４０に対する操作内容に基づき、新たに記憶されるべき情報がジョブ情報であると判断すると、ステップＳ９２０へ制御を進める。一方、ＣＰＵ１００は、新たに記憶されるべき情報がジョブ情報ではないと判断すると、ステップＳ９２８へ制御を進める。
【０１４９】
ステップＳ９２０で、ＣＰＵ１００は、ステップＳ９０８，ステップＳ９１０，ステップＳ９１４，またはステップＳ９１６で記憶された装置情報とこれから記憶されるジョブ情報とを紐付けるか否かを判断する。ステップＳ９２０における判断は、たとえば操作パネル１４０に対する操作内容に基づいて実現される。そして、ＣＰＵ１００は、上記装置情報と上記ジョブ情報とを紐付けると判断すると、ステップＳ９２２へ制御を進める。一方、ＣＰＵ１００は、上記装置情報と上記ジョブ情報とを紐付けないと判断すると、ステップＳ９２４へ制御を進める。
【０１５０】
ステップＳ９２２で、ＣＰＵ１００は、新たに記憶されるべきジョブ情報を、ステップＳ９０８，ステップＳ９１０，ステップＳ９１４，またはステップＳ９１６で記憶された装置情報と同じ設定ＩＤに関連付けられたカスタマイズ情報としてＨＤＤ１０３に格納する。そして、制御はステップＳ９２６へ進められる。
【０１５１】
一方、ステップＳ９２４で、ＣＰＵ１００は、新たに記憶されるべきジョブ情報を、ステップＳ９０８，ステップＳ９１０，ステップＳ９１４，またはステップＳ９１６で記憶された装置情報とは異なる設定ＩＤに関連付けられたカスタマイズ情報としてＨＤＤ１０３に格納する。そして、制御はステップＳ９２６へ進められる。
【０１５２】
ステップＳ９２６で、ＣＰＵ１００は、図１０の設定記憶制御処理を完了させて（たとえば、対応するフラグを立てること）、図６へ制御を戻す。
【０１５３】
図６に戻って、ステップＳ１０００で、ＣＰＵ１００は、上記のように画像形成システム１の機能として説明されたオートリセットを実行する条件が成立したか否かを判断する。そして、ＣＰＵ１００は、オートリセットを実行する条件が成立したと判断すると、ステップＳ１１００でリセット制御処理を十個した後、ステップＳ１２００へ制御を進める。一方、ＣＰＵ１００は、当該条件が成立していないと判断すると、ステップＳ１１００の制御を実行することなく、ステップＳ１２００へ制御を進める。
【０１５４】
図１１は、リセット制御処理のサブルーチンのフローチャートである。図１１を参照して、リセット制御処理を説明する。
【０１５５】
図１１を参照して、ステップＳ１１０２で、ＣＰＵ１００は、上記したオートリセットを実行する。そして、制御はステップＳ１１０４へ進められる。
【０１５６】
ステップＳ１１０４で、ＣＰＵ１００は、オートリセットにより設定が変更されたことにより、給紙トレイの交換および要素の交換の少なくとも一方の必要が生じるか否かを判断する。そして、ＣＰＵ１００は、そのような必要が生じると判断すると、ステップＳ１１０６へ制御を進める。一方、ＣＰＵ１００は、オートリセットによってはそのような必要が生じないと判断すると、ステップＳ１１０８へ制御を進める。
【０１５７】
ステップＳ１１０６で、ＣＰＵ１００は、オートリセットによって変更されるべき設定のうち、給紙トレイおよび要素の交換の必要が生じる設定以外の設定を変更する。つまり、給紙トレイおよび要素の交換の必要が生じる設定については、オートリセットが実行されても、変更されることなく維持される。そして、制御は図６へ戻される。
【０１５８】
ステップＳ１１０８で、ＣＰＵ１００は、通常のオートリセットによる設定が変更される。そして、制御は図６へ戻される。
【０１５９】
図６に戻って、ステップＳ１２００で、ＣＰＵ１００は、操作パネル１４０に対する操作が完了したか否かを判断する。ＣＰＵ１００は、例えば、操作パネル１４０に対して操作を完了することを示す操作がなされた場合、所定時間以上継続して操作パネル１４０に操作がなされない場合、または、ログインしていたユーザーがログアウトした場合、操作パネル１４０に対する操作が完了したと判断する。そして、ＣＰＵ１００は、操作パネル１４０に対する操作がまだ完了していないと判断すると、ステップＳ３００へ制御を戻す。一方、ＣＰＵ１００は、操作パネル１４０に対する操作が完了したと判断すると、図６の処理を終了する。
【０１６０】
以上説明された本実施の形態の画像形成システム１では、カスタマイズ情報として、画像形成についての設定を受け付ける。カスタマイズ情報は、画像形成動作についての設定として、装置情報とジョブ情報とを含む。装置情報は、画像形成に利用される要素の種類（給紙トレイの種類および／または定着ユニットの種類）を指定する。ジョブ情報は、形成される画像の態様（たとえば、ページ集約、倍率、両面／片面印刷）、および／または、後処理装置３０における後処理の態様を指定する。そして、画像形成システム１では、指定された設定に含まれる装置情報が指定する要素が装着されていない場合には、画像形成システム１における要素の交換（変更）が必要であることを示すメッセージ（警告メッセージ）を表示する。
【０１６１】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１６２】
１  画像形成システム、１０  画像形成装置、１１，１１Ａ，１１Ｂ，９２，９３，９４  給紙トレイ、１２，３２，３２Ａ，３２Ｂ，３２Ｃ，９１  搬送経路、１２Ａ  反転搬送経路、１４  ＬＣＤ、３０  後処理装置、９０  大容量給紙装置、１０１  ＲＯＭ、１０２  ＲＡＭ、１０５  画像処理部、１１０  画像形成部、１１０Ａ  感光体、１１５，１６０，２２０，３６０，９６０  センサー、１２０  給紙部、１２１，３２０，９２１  用紙搬送部、１４０  操作パネル。
【図１】
2017060035.tif 000003
【図２】
2017060035.tif 000004
【図３】
2017060035.tif 000005
【図４】
2017060035.tif 000006
【図５】
2017060035.tif 000007
【図６】
2017060035.tif 000008
【図７】
2017060035.tif 000009
【図８】
2017060035.tif 000010
【図９】
2017060035.tif 000011
【図１０】
2017060035.tif 000012
【図１１】
2017060035.tif 000013